(57)【要約】【課題】支柱に形成された係合孔のピッチに制限されることなく、任意の高さに棚を架設可能とすると共に、当該棚の架設作業性を向上することができる棚装置を提供する。【解決手段】本発明は、上下に渡って複数の係合孔１５を備えた支柱７に棚４を架設して成る棚装置２において、棚４に設けられ、当該棚４から係合孔１５方向に突出、後退自在とされた係合部材２７を備え、係合部材２７が棚４より突出した状態で、係合部材２７は係合孔１５内に進入し、その状態で棚４は支柱７に架設されると共に、係合部材２７が後退した状態では、係合部材２７は係合孔１５外に位置する。【選択図】図３
2012065955.tif 000002
【特許請求の範囲】
【請求項１】
上下に渡って複数の係合孔を備えた支柱に棚を架設して成る棚装置において、
前記棚に設けられ、当該棚から前記係合孔方向に突出、後退自在とされた係合部材を備え、
該係合部材が前記棚より突出した状態で、当該係合部材は前記係合孔内に進入し、その状態で前記棚は前記支柱に架設されると共に、前記係合部材が後退した状態では、当該係合部材は前記係合孔外に位置することを特徴とする棚装置。
【請求項２】
前記棚に固定され、前記係合孔側の端部が開口した筒状の収納部材を備え、
前記係合部材は前記収納部材の開口より当該収納部材内に移動自在に挿入されていることを特徴とする請求項１に記載の棚装置。
【請求項３】
前記収納部材内に、前記係合部材を前記係合孔方向に常時付勢する付勢部材を設けたことを特徴とする請求項２に記載の棚装置。
【請求項４】
前記収納部材に形成された窓孔と、前記係合部材の側面から外側に突出して前記窓孔より外部に臨む操作部とを備えたことを特徴とする請求項２又は請求項３に記載の棚装置。
【請求項５】
前記操作部の前記係合孔とは反対側となる面は傾斜面とされ、前記係合部材は、前記操作部が内側に移動する方向に所定の弾性を有することを特徴とする請求項４に記載の棚装置。
【請求項６】
前記収納部材の窓孔は、前記操作部が係脱自在に係止されて前記係合部材が後退した状態を保持する係止部を有することを特徴とする請求項４又は請求項５に記載の棚装置。
【発明の詳細な説明】
【技術分野】
【０００１】
本発明は、上下に渡って複数の係合孔を備えた支柱に棚を架設して成る棚装置に関するものである。
【背景技術】
【０００２】
従来この種の棚装置は、例えばショーケース等に採用されており、当該ショーケースの陳列室四隅部や前後中央部に上下方向の支柱を立設し、この支柱に上下方向に所定間隔で複数の係合孔を穿設している。そして、ワイヤーなどの線条で構成された棚の端部を前記係合孔に着脱自在に挿入係合することにより、陳列室内に複数段の棚を架設している。
【０００３】
この場合、前記係合孔は通常後部の支柱前面に穿設され、棚の後端部に形成した係合部を前方よりこの係合孔に挿入係合すると共に、棚の前端部は、前端部の支柱に取り付けた棚受けに支持させている（例えば、特許文献１参照。）。
【０００４】
例えば図９に示すように、この棚受け１００は、上方に開口する棚保持部１０１と、当該棚保持部１０１の支柱１０５側に突出して形成される上部係合爪１０２と、棚保持部１０１の下側に降下した後、支柱１０５側に突出して形成される下部係合爪１０３とから構成されている。棚受け１００に形成される上部係合爪１０２と下部係合爪１０３との間隔は、支柱１０５に形成される隣接する係合孔１０６との間隔と略同一とされている。
【０００５】
そのため、棚１１０を取り付ける際には、先ず、棚１１０の取付高さ寸法に応じた高さに位置する支柱１０５の係合孔１０６に棚受け１００の上部係合爪１０２を挿入係合する。同時に、下部係合爪１０３も上部係合爪１０２が係合する係合孔１０６の下側に位置する係合孔１０６に係合させる。このようにして陳列室の前両側部に位置する各支柱に棚受け１００を取り付ける。
【０００６】
その後、棚１１０の後端部に形成された係合部を、陳列室後部左右に立設された支柱の各係合孔に挿入係合させ、棚１１０の前端部両側部に形成された係合部を棚受け１００の棚保持部１０１に上方から載置する。これにより、任意の高さに棚１１０を架設する。
【先行技術文献】
【特許文献】
【０００７】
【特許文献１】特許第２９９４８６１号公報
【発明の概要】
【発明が解決しようとする課題】
【０００８】
しかしながら、上述した如き構成では、棚の高さを変更する際、棚を取り外し、棚受けの支柱への取付位置を変更してから棚を再度棚受けに載置させることとなる。そのため、比較的小さな部材にて構成されている棚受けは、着脱の際に落としてしまうと、紛失してしまう可能性がある。また、上述した場合、棚受けは陳列室の前両側部の各支柱に取り付けることとなるが、離間した位置にあるため、棚受けの取付高さがずれてしまい、棚のがたつき発生や、棚の脱落を招来してしまう問題がある。
【０００９】
また、棚を取り外して使用する場合、取り外した棚と共に、棚受けを保管する必要があるが、小さな部材である棚受けは紛失してしまう可能性が高く、棚と一緒に保管することが困難であった。
【００１０】
更に、棚受けには、通常上下に係合爪が形成されているため、これら係合爪は、支柱に形成された上下に隣接する係合孔に係合されることとなる。そのため、支柱に形成される係合孔は当該係合爪のピッチに対応させたものとする必要がある。しかし、ショーケース内の上部の棚には、例えば、上部に背の低い缶やペットボトル入りの飲料などが陳列されるのに対し、ショーケース内の下部の棚には、背の高いペットボトル入りの飲料などが陳列される場合が多く、ショーケース内の上部と下部とで係合孔のピッチを変更したい要望があった。
【００１１】
本発明は従来の技術的課題を解決するためになされたものであり、支柱に形成された係合孔のピッチに制限されることなく、任意の高さに棚を架設可能とすると共に、当該棚の架設作業性を向上することができる棚装置を提供することを目的とする。
【課題を解決するための手段】
【００１２】
上記課題を解決するために、本発明の棚装置は、上下に渡って複数の係合孔を備えた支柱に棚を架設して成るものであって、棚に設けられ、当該棚から係合孔方向に突出、後退自在とされた係合部材を備え、該係合部材が棚より突出した状態で、当該係合部材は係合孔内に進入し、その状態で棚は支柱に架設されると共に、係合部材が後退した状態では、当該係合部材は係合孔外に位置することを特徴とする。
【００１３】
請求項２の発明は、上記発明において、棚に固定され、係合孔側の端部が開口した筒状の収納部材を備え、係合部材は収納部材の開口より当該収納部材内に移動自在に挿入されていることを特徴とする。
【００１４】
請求項３の発明は、上記発明において、収納部材内に、係合部材を係合孔方向に常時付勢する付勢部材を設けたことを特徴とする。
【００１５】
請求項４の発明は、上記請求項２又は請求項３の発明において、収納部材に形成された窓孔と、係合部材の側面から外側に突出して窓孔より外部に臨む操作部とを備えたことを特徴とする。
【００１６】
請求項５の発明は、上記発明において、操作部の係合孔とは反対側となる面は傾斜面とされ、係合部材は、操作部が内側に移動する方向に所定の弾性を有することを特徴とする。
【００１７】
請求項６の発明は、上記請求項４又は請求項５の発明において、収納部材の窓孔は、操作部が係脱自在に係止されて係合部材が後退した状態を保持する係止部を有することを特徴とする。
【発明の効果】
【００１８】
本発明によれば、上下に渡って複数の係合孔を備えた支柱に棚を架設して成る棚装置において、棚に設けられ、当該棚から係合孔方向に突出、後退自在とされた係合部材を備え、該係合部材が棚より突出した状態で、当該係合部材は係合孔内に進入し、その状態で棚は支柱に架設されると共に、係合部材が後退した状態では、当該係合部材は係合孔外に位置するので、棚を架設する際には、棚の係合部材を架設する高さに相当する支柱の係合孔に突出させることで容易に行うことができる。従って、従来の如く棚受けを用いて棚を架設する場合には、棚の高さ変更時や、棚を外して保管等した際、比較的小さな部材である棚受けを紛失してしまう不都合が生じていたが、本願発明によれば、格別に棚受けを用いることなく棚の架設を行うことができるため、このような不都合を未然に回避することができる。
【００１９】
また、係合部材を単独の係合孔に突出させることで棚を架設可能とするため、上下に複数形成される係合孔のピッチを自由に設定することが可能となり、利便性の向上を図ることができる。
【００２０】
請求項２の発明によれば、上記発明に加えて、棚に固定され、係合孔側の端部が開口した筒状の収納部材を備え、係合部材は収納部材の開口より当該収納部材内に移動自在に挿入されているので、係合部材を収納部材の開口から進退させることで、支障なく棚から係合孔方向に係合部材を突出、後退自在とすることができる。
【００２１】
請求項３の発明によれば、上記発明に加えて、収納部材内に、係合部材を係合孔方向に常時付勢する付勢部材を設けたことにより、係合部材を係合孔に突出させた状態を、付勢部材によって常時付勢することができる。
【００２２】
そのため、棚が架設されたショーケース等を輸送する際にも、棚の係合部材は、係合孔方向に付勢されているため、係合部材が係合孔から脱落し、棚が外れてしまう不都合を解消することができる。従って、格別に抑え手段などを設ける必要が無くなる。
【００２３】
請求項４の発明によれば、上記請求項２又は請求項３の発明に加えて、収納部材に形成された窓孔と、係合部材の側面から外側に突出して窓孔より外部に臨む操作部とを備えたことにより、収納部材の窓孔から外部に臨む操作部を操作することで、容易に係合部材を係合孔方向に突出、後退操作することが可能となる。
【００２４】
請求項５の発明によれば、上記発明に加えて、操作部の係合孔とは反対側となる面は傾斜面とされ、係合部材は、操作部が内側に移動する方向に所定の弾性を有することにより、係合部材を収納部材内に収納する際、操作部をその弾性により内側に移動させ、傾斜面に沿って、外側に突出した操作部を有する係合部材を円滑に収納部材の開口より収納することが可能となる。これにより、組立作業性を簡素化することができる。
【００２５】
請求項６の発明によれば、上記請求項４又は請求項５の発明に加えて、収納部材の窓孔は、操作部が係脱自在に係止されて係合部材が後退した状態を保持する係止部を有することにより、係合部材が後退した状態で、操作部を収納部材の窓孔に形成された係止部に係止させることで、係合部材が後退した状態を保持することができ、棚の架設作業性を容易とすることができる。
【図面の簡単な説明】
【００２６】
【図１】本発明を適用した実施例のショーケースの斜視図である。
【図２】棚の部分拡大斜視図である。
【図３】棚架設時の部分拡大斜視図である。
【図４】棚前部の分解斜視図である。
【図５】係合部材突出時の棚の部分拡大斜視図である。
【図６】係合部材後退時の棚の部分拡大斜視図である。
【図７】棚架設時の部分拡大斜視図である。（他の実施例）
【図８】係合部材後退時の棚の部分拡大斜視図である。（他の実施例）
【図９】従来の棚架設部分の拡大断面図である。
【発明を実施するための形態】
【００２７】
以下、図面に基づき本発明の実施形態を詳述する。本実施例では、例えばコンビニエンスストア等の店舗に設置されてコーヒーやお茶などのペットボトル入り飲料若しくは缶飲料を冷却しながら販売する所謂卓上型ショーケースに採用された棚装置２を例に挙げて説明する。
【００２８】
図１は本発明を適用した実施例のショーケース１の斜視図を示している。本実施例のショーケース１の本体３は、発泡ポリウレタンなどから成る図示しない断熱壁とこの断熱壁の周囲を囲繞する硬質合成樹脂製のケース６から構成されている。そして、この本体３の四隅に位置して前支柱７、７及び後支柱８、８が立設されており、これら支柱７、７、８、８には透明壁９、９が支持され、上部には天壁１１が取り付けられている。
【００２９】
また、前から向かって右側の前支柱７及び後から向かって左側の後支柱８には透明ガラス１２Ａを填め込んだ透明壁としての縦長の扉１２、１２が回動自在に枢支されており、本体３上にこれら透明壁９、９、扉１２、１２及び天壁１１により囲繞された陳列室１４が構成されている。そして、扉１２、１２はこの陳列室１４の前後面の開口を開閉自在に閉塞することになる。
【００３０】
前記本体３の下方には周囲にグリル１７が形成されたパネル１３が取り付けられた図示しない機械室が構成されており、この機械室内には冷却装置の冷媒回路を構成する図示しない圧縮機や凝縮器が設置される。本体３の前記断熱壁内には上面が開口した図示しない冷却室が構成され、この冷却室内には前記冷媒回路を構成するこれも図示しない冷却器と送風機が設置されている。そして、本体３の一側、この場合、本体３の前から向かって右側には手前から奥に渡って冷気吐出口２１が構成されており、他側、この場合、向かって左側には手前から奥に渡って冷気吸込口２２が構成されている。この冷気吸込口２２は冷却室内の前記冷却器の冷気吸込側に連通し、冷気吐出口２１は冷気吐出側に連通している。これにより、冷却室において冷却器と熱交換した冷気を送風機で冷気吐出口２１から陳列室１４内に吐出し、陳列室１４内の冷気を冷気吸込口２２から吸い込む循環を行うことで、陳列室１４内を所定の冷蔵温度に冷却可能としている。
【００３１】
次に、本発明に係る棚装置２について説明する。棚装置２は、上述した如き前支柱７、７と、後支柱８、８と、当該支柱７、８に架設する棚４・・とから構成されている。
【００３２】
前支柱７、７には相互に対向する面（陳列室１４側の面）には、上下に渡って複数の係合孔１５・・が所定間隔を存して形成されている。また、後支柱８、８の前面（陳列室１４側の面）８Ａには、上下に渡って複数の係合孔１６・・が所定間隔を存して形成されている。
【００３３】
ここで、棚４について、上記図１に加え図２乃至図６を参照して説明する。図２は棚４の部分拡大斜視図、図３は棚４架設時の部分拡大斜視図、図４は棚４前部の分解斜視図、図５は係合部材２７突出時の棚４の部分拡大斜視図、図６は係合部材２７後退時の棚４の部分拡大斜視図をそれぞれ示している。
【００３４】
棚４は、外周を形成する枠部材１８と、この枠部材１８に固定された前後にわたる複数の線条１９と、枠部材１８の前端に左右に渡って固定された前支持部２０と、枠部材１８の後端に左右に渡って固定された後支持部２４から構成されている。
【００３５】
ここで、本実施例では、枠部材１８の下面に各線条１９が溶接等によって固定されていると共に、当該線条１９の下面に前支持部２０及び後支持部２４が溶接等によって固定されている。後支持部２４は、両端が後方に向けて折曲形成されており、これによって、後支持部２４の両端が各後支柱８の係合孔１６に前方から挿入係合可能とされる。
【００３６】
そして、前支持部２０の両端部は、枠部材１８の両端よりも所定寸法だけ内方に位置している。この前支持部２０の両端部には、筒状の収納部材２５が溶接等によって固定されている。尚、本実施例では、当該収納部材２５が固定された状態で、枠部材１８の前端の長さ寸法と当該収納部材２５が設けられた前支持部２０の長さ寸法が略同一となるように設定されている。
【００３７】
この収納部材２５は、棚４の架設時、前支柱７の係合孔１５側となる端部が当該係合孔１５側に向けて開口した開口２６を有している。この収納部材２５には、当該開口２６より係合部材２７が挿入されている。この係合部材２７は、収納部材２５の開口２６から係合孔１５方向に突出、後退して収納部材２５内に収納自在とされている。本実施例では、収納部材２５内には、係合部材２７との間に係合孔１５方向に係合部材２７を常時付勢するバネ等の付勢部材２８が設けられている。
【００３８】
また、この収納部材２５の側面には、係合部材２７の突出／後退方向に延在する窓孔２５Ａが形成されている。これに対し、当該収納部材２５内に挿入される係合部材２７の側面には、外側に突出して当該収納部材２５の窓孔２５Ａより外部に臨む操作部２９が形成されている。
【００３９】
この操作部２９は、係合孔１５とは反対側となる面が、係合部材２７の側面に向けて低くなる傾斜面２９Ａとされていると共に、係合部材２７には、当該操作部２９が形成される側面と略平行に延在する切欠２７Ａが係合孔１５とは反対側となる面から形成されている。当該切欠２７Ａによって、操作部２９は、内側に移動する方向に所定の弾性を有する。
【００４０】
以上の構成により、当該棚４を組み立てる場合には、先ず、前支持部２０の端部に収納部材２５が溶接された状態で、該収納部材２５の開口２６より付勢部材２８及び係合部材２７を挿入する。
【００４１】
この際、係合部材２７の操作部２９をその弾性により内側に移動させた状態で、当該操作部２９の傾斜面２９Ａ側から収納部材２５内に挿入する。これにより、操作部２９Ａをその弾性により内側に移動させることで、当該係合部材２７の断面寸法を小さくした状態で、傾斜面２９Ａに沿って、外側に突出した操作部２９を有する係合部材２７を円滑に収納部材２５の開口２５Ａより収納することが可能となる。従って、組立作業性を簡素化することができる。
【００４２】
そして、収納部材２５内に挿入された係合部材２７は、操作部２９と窓枠２５Ａとが合致した状態で、当該係合部材２７の弾性により操作部２９が窓枠２５Ａより外部に突出した状態となる。
【００４３】
従って、操作部２９が内側に故意に押し込まれない限り、付勢部材２８によって係合孔１５方向に常時付勢される係合部材２７は、当該操作部２９が窓枠２５Ａの係合孔１５側の縁部に当接し、収納部材２５内に安定して保持される。
【００４４】
当該棚４を陳列室１４内に架設する場合には、先ず、棚４の後支持部２４の両端をそれぞれ後支柱８、８の前面８Ａに形成された何れかの係合孔１６に挿入係合する。
【００４５】
その後、棚４を略水平とし、図６に示すように操作部２９若しくは、係合孔１５側に突出している係合部材２７自体を係合孔１５から離間する方向に移動させて、該係合部材２７を係合孔１５方向から後退させる。この際、収納部材２５内の付勢部材２８は、当該移動時に加わる力によって縮退する。
【００４６】
このとき、本実施例では、収納部材２５の窓枠２５Ａから係合部材２７の操作部２９が外部に臨んで設けられているため、収納部材２５の外側から容易に係合部材２７を係合孔１５から後退する方向に操作することが可能となる。
【００４７】
そして、係合部材２７の端部を、架設する高さに相当する前支柱７の係合孔１５に合致させた状態とし、操作部２９若しくは、係合部材２７を離すことで、図５に示すように付勢部材２８の付勢力によって係合部材２７は、係合孔１５方向に突出した状態となり、当該係合孔１５内に進入する。棚４の前支持部２０の両端部に取り付けられた係合部材２７、２７がそれぞれ各係合孔１５、１５内に進入することにより、棚４は、前支柱７、７に架設されることとなる。
【００４８】
従って、従来の如く棚受けを用いて棚を架設する場合には、棚の高さ変更時や、棚を外して保管等した際、比較的小さな部材である棚受けを紛失してしまう不都合が生じていたが、本実施例の棚４では、格別に棚受けを用いることなく棚４を容易に支柱７、７に架設することができるため、このような不都合を未然に回避することができる。
【００４９】
また、係合部材２７を単独の係合孔１５に突出させることで棚４を架設可能とするため、上下に複数形成される係合孔１５のピッチを自由に設定することが可能となる。従って、例えば、陳列室１４内の上部の棚に、上部に背の低い缶やペットボトル入りの飲料などを陳列し、下部の棚に、背の高いペットボトル入りの飲料などを陳列する場合には、支柱７、８の上部に形成される係合孔１５、１６のピッチをより狭く形成し、支柱７、８の下部に形成される係合孔１５、１６のピッチをより広く形成した場合であっても、同一の棚４を用いて支障なく棚の架設を行うことが可能となり、利便性の向上を図ることができる。
【００５０】
更に、係合部材２７を係合孔１５に突出させた状態では、当該係合部材２７は、付勢部材２８によって係合孔１５方向に常時付勢されているため、棚４が架設されたショーケース１を輸送する際にも、係合部材２７が係合孔１５から脱落し、棚４が外れてしまう不都合を解消することができる。従って、格別に抑え手段などを設ける必要が無くなる。
【００５１】
一方、棚４を取り外す際には、収納部材２５の窓孔２９から外部に臨んでいる係合部材２７の操作部２９をつまみ、付勢部材２８の付勢力に抗して係合部材２７を係合孔１５から離間する方向に移動させる。
【００５２】
これにより、収納部材２５の端部から係合孔１５側に突出していた係合部材２７は、係合孔１５外に移動し、収納部材２５内に後退した状態となり、これまで突出していた係合部材２７が邪魔となることなく棚４を前支柱７から取り外すことができる。
【００５３】
このように、本実施例では、棚４の両端部に設けられた係合部材２７を収納部材２５内から係合孔１５方向に突出、後退自在に操作することによって、該係合部材２７と係合孔１５との係合、解除を容易に行うことができ、棚４の架設作業性を簡素化することが可能となる。
【００５４】
尚、上記実施例では、係合部材２７は付勢部材２８によって常時係合孔１５方向に付勢されているが、該付勢部材２８を設けないものを採用しても良い。この場合、係合部材２７は、収納部材２５の窓枠２５Ａから外部に突出する操作部２９を係合孔１５方向に操作することで、支障なく収納部材２５の開口２６から係合部材２７を係合孔１５方向に突出させて、該係合部材２７と係合孔１５とを係合させることができる。
【００５５】
また、付勢部材２８を備えた棚４において、他の実施例として図７、８に示すように、上記操作部２９が外部に臨む収納部材２５の窓枠２５Ａに係合部材２７が後退した状態を保持する係止部３０を設けても良い。
【００５６】
この場合、収納部材２５に形成された窓枠２５Ａの係合孔１５とは反対側の端部に、操作部２９の突出・後退方向とは異なる方向、この場合、上方向に突出した拡張部２５Ｂを形成し、この拡張部２５の係合孔１５側の縁部を係止部３０とする。
【００５７】
これにより、係合部材２７を図８に示すように、係合孔１５から後退させる方向に移動させた後、操作部２９を窓枠２５Ａ内の上方向の拡張部２５Ｂに移動させることで、操作部２９の係合孔１５側の端面が拡張部２５Ｂの係合孔１５側の端面に形成された係止部３０に当接し、付勢部材２８の付勢力に抗して、係合部材２７が後退した状態を保持することができる。
【００５８】
そのため、当該係止部３０にて係合部材２７が後退した状態を保持でき、棚４の架設作業性をより一層、容易なものとすることができる。
【００５９】
尚、上記各実施例では前取付部２０に棚受けを設けて、前支柱７に形成された係合孔１５に架設可能とした場合について説明しているが、これに限定されるものではなく、後取付部２４の両端部に棚受けを設けて後支柱８に形成される係合孔１６に架設可能とした場合についても同様の効果を奏する。また、４面ガラスタイプのショーケースを例にとって説明したが、それに限らず、棚装置２を有するショーケース全般に本発明は有効である。
【符号の説明】
【００６０】
１    ショーケース
２    棚装置
４    棚
７    前支柱
８    後支柱
１４    陳列室
１５、１６  係合孔
１８    枠部材
１９    線条
２０    前支持部
２４    後支持部
２５    収納部材
２５Ａ  窓枠
２５Ｂ  拡張部
２６    開口
２７    係合部材
２８    付勢部材（バネ）
２９    操作部
２９Ａ  傾斜面
３０    係止部
【図１】
2012065955.tif 000003
【図２】
2012065955.tif 000004
【図３】
2012065955.tif 000005
【図４】
2012065955.tif 000006
【図５】
2012065955.tif 000007
【図６】
2012065955.tif 000008
【図７】
2012065955.tif 000009
【図８】
2012065955.tif 000010
【図９】
2012065955.tif 000011